(57)【要約】  植栽容器からの排水を所定の場所に誘導して、美観を維持し易い植栽容器は、植栽用水を貯留可能な貯水部５を、底部と同底部の外周から立ち上がった側壁部Ｅとによって形成しており、側壁部Ｅの一部に貯水部の植栽用水を外部にオーバーフローさせる用水出口２Ｂが形成してある植栽容器本体１と、側壁部Ｅの少なくとも一つを外側から覆う側壁カバー５４とを備え、側壁カバー５４が、側壁部に取り付けられる固定部４２と、用水出口からオーバーフローする植栽用水を受けて植栽容器の外に排出する樋部と、固定部と樋部４０とを接続しつつ樋部の開口部４０Ａと上方から対向するカバー部４３とを、側壁部の外周に沿って備えている。
2011145658.tif 000002
【特許請求の範囲】
【請求項１】
植栽用水を貯留可能な貯水部を、底部と同底部の外周から立ち上がった側壁部とによって形成しており、前記側壁部の一部に前記貯水部の植栽用水を外部にオーバーフローさせる用水出口が形成してある植栽容器本体と、前記植栽容器本体の前記側壁部の少なくとも一つを外側から覆う側壁カバーとを備え、
前記側壁カバーが、前記側壁部に取り付けられる固定部と、前記用水出口からオーバーフローする植栽用水を受けて植栽容器の外に排出する樋部と、前記固定部と前記樋部とを接続しつつ前記樋部の開口部と上方から対向するカバー部とを、前記側壁部の外周に沿って備えている植栽容器。
【請求項２】
前記カバー部の内側に、前記貯水部に植栽用水を供給するための給水配管を支持する支持部が設けてある請求項１に記載の植栽容器。
【請求項３】
前記カバー部の内側に、前記支持部を備えた上方の給水用空間と、前記樋部を備えた下方の排水用空間とが、上下に隣接して設けられ、
前記給水用空間と前記排水用空間とは、全長に亘って前記樋部の前記開口部を介して互いに連通している請求項２に記載の植栽容器。
【請求項４】
前記樋部が鉛直方向よりも前記植栽容器本体側に向かって斜め内向きに延びるオーバーハング部を備え、前記支持部は前記オーバーハング部の一部から斜め上方外向きに延設されている請求項２または３に記載の植栽容器。
【請求項５】
前記カバー部が、前記固定部から前記植栽容器本体に対して外向きに延びる天井部と、前記天井部の先端から下方に延びる縦壁部とを備え、
前記縦壁部の内面と前記オーバーハング部とが前記支持部によって接続されている請求項４に記載の植栽容器。
【発明の詳細な説明】
【技術分野】
【０００１】
本発明は、植栽用水を貯留可能な貯水部を、底部と同底部の外周から立ち上がった側壁部とによって形成しており、前記側壁部の一部に前記貯水部の植栽用水を外部にオーバーフローさせる用水出口が形成してある植栽容器に関する。
【背景技術】
【０００２】
従来、上記植栽容器の用水出口からは、植栽用水が植栽容器の設置床面に直接流下排出されるようになっているだけで、用水出口からオーバーフローした排水を植栽容器の外に誘導する手段は特に知られていなかった。
【発明の開示】
【発明が解決しようとする課題】
【０００３】
上述した従来の植栽容器を、例えば建物の屋上などの床面に複数設置して、屋上緑化をする場合、植栽容器の用水出口から排出される植栽用水が、屋上の床面に直接流下する。そのような場合、床面が濡れた状態になったり、また、その植栽用水には肥料などの栄養分が含まれていることが多いために、床面に直接流下した植栽用水により、場合によっては、床面に藻が繁殖したり、カビが発生することも考えられ、外観が低下する虞があった。【０００４】
従って、本発明の目的は、上記問題点を解消し、植栽容器からの排水を所定の場所に誘導して、美観を維持し易い植栽容器を提供するところにある。
【課題を解決するための手段】
【０００５】
本発明による植栽容器の第１の特徴構成は、
植栽用水を貯留可能な貯水部を、底部と同底部の外周から立ち上がった側壁部とによって形成しており、前記側壁部の一部に前記貯水部の植栽用水を外部にオーバーフローさせる用水出口が形成してある植栽容器本体と、前記植栽容器本体の前記側壁部の少なくとも一つを外側から覆う側壁カバーとを備え、
前記側壁カバーが、前記側壁部に取り付けられる固定部と、前記用水出口からオーバーフローする植栽用水を受けて植栽容器の外に排出する樋部と、前記固定部と前記樋部とを接続しつつ前記樋部の開口部と上方から対向するカバー部とを、前記側壁部の外周に沿って備えているところにある。【０００６】
本発明の第１の特徴構成によれば、側壁カバーの固定部を植栽容器本体の側壁部に接当させて取り付けるだけで、植栽容器本体の貯水部に貯留する植栽用水の余剰分は、用水出口からオーバーフローして側壁カバーの樋部に受止められ、樋部の一端部に形成した流出部から植栽容器本体の外に誘導される。
従って、例えば、樋部に設ける流出部を、床に形成する所定の集水部に位置するように設ける、または、樋部から他の配水管などを使って前記集水部に誘導させることで、植栽容器本体を配置する床面を、藻やカビなどの繁殖による外観低下から守ることができる。
その上、樋部の開放された上部は、カバー部により覆い隠されることにより、外観が向上する。よって、植栽容器本体からの排水を所定の場所に誘導して、花壇の美観を維持できる。【０００７】
本発明の他の特徴構成は、前記カバー部の内側に、前記貯水部に植栽用水を供給するための給水配管を支持する支持部を設けてあるところにある。【０００８】
この特徴構成によれば、本発明による植栽容器の側壁カバーを、植栽容器本体の上流側の側壁部に固定部を介して取り付ければ、用水入り口に対する給水配管を支持部に支持させることができるので、カバー部により給水配管は覆い隠され、そのために、給水配管を外部に露出させないで安定して取り付けられる。従って、美観が向上する。【０００９】
本発明の他の特徴構成は、前記カバー部の内側に、前記支持部を備えた上方の給水用空間と、前記樋部を備えた下方の排水用空間とが、上下に隣接して設けられ、
前記給水用空間と前記排水用空間とは、全長に亘って前記樋部の前記開口部を介して互いに連通しているところにある。【００１０】
この構成によれば、給水配管のための支持部と樋部とが上下に隣接して設けられているので、植栽容器本体における植栽用水の流れ方向に関する側壁カバーの寸法（幅）を小さめに抑えることができ、さらに花壇としての美観が向上する。【００１１】
本発明の他の特徴構成は、前記樋部が鉛直方向よりも前記植栽容器本体側に向かって斜め内向きに延びるオーバーハング部を備え、前記支持部は前記オーバーハング部の一部から斜め上方外向きに延設されているところにある。【００１２】
この構成によれば、オーバーハング部を備えているので、用水出口の樋口から流れ出る植栽用水の勢いが強い場合でも、植栽用水が植栽容器本体側に跳ね返されることなく、比較的静かに樋部の中に収納される。また、支持部は、オーバーハング部の一部を介して樋部によって支持されることとなるため、給水配管を支持するために十分な機械的強度を得ることができる。【００１３】
本発明の他の特徴構成は、前記カバー部が、前記固定部から前記植栽容器本体に対して外向きに延びる天井部と、前記天井部の先端から下方に延びる縦壁部とを備え、
前記縦壁部の内面と前記オーバーハング部とが前記支持部によって接続されているところにある。【００１４】
この構成によれば、給水配管を支持する支持部がカバー部の縦壁部とも接続されることで、より高い機械的強度を得ることができる。また、樋部の開口部のみでなく、樋部の外周面も含めた全体と支持部との全てが、カバー部の内側に配置されることとなるため、花壇としての美観がさらに向上する。
【図面の簡単な説明】
【００１５】
【図１】植栽容器を屋外に設置した状態の一部破断斜視図である。
【図２】植栽容器の斜視図である。
【図３】植栽容器の作用を示す平面図である。
【図４】植栽容器の給排流路に沿った縦断面図である。
【図５】植栽容器本体の下流側に配置した側壁カバーの縦断面図である。
【図６】植栽容器本体の上流側に配置した側壁カバーの縦断面図である。
【図７】側壁カバーの或る使用状態における一部切欠き斜視図である。
【図８】側壁カバーの別使用状態における一部切欠き斜視図である。
【図９】側壁カバーの別使用状態における一部切欠き斜視図である。
【図１０】別実施形態による側壁カバーの図５に対応する縦断面図である。
【図１１】別実施形態による側壁カバーの図６に対応する縦断面図である。
【発明を実施するための形態】
【００１６】
以下に本発明の一実施形態について図面に基づいて説明する。
図１はビルの屋上などを含む屋外に設置可能な花壇の一例を示しており、樹脂の一体成形で作られた複数の植栽容器本体１と、植栽容器本体１に設置される植栽床材２０と、植栽容器本体１に植栽用水を供給するための給水設備３０とを有する。
【００１７】
個々の植栽容器本体１は、平面視において略正方形の外形を呈しており、底面５ａ（底部の一例）と同底面５ａの外周から立ち上がった側壁部Ｅの内壁面５ｂとによって、植栽用水を貯留可能な貯水部５が形成されている。
また、植栽用水の流れ方向に関して上流側に用いる第１側壁部Ｅ１の一部には、植栽容器本体１に植栽用水を受け入れる用水入口２Ａが形成され、下流側に用いる第２側壁部Ｅ２の一部には、貯水部５の植栽用水を外部にオーバーフローさせる用水出口２Ｂが形成してある。
【００１８】
植栽容器本体１は略正方形の外形を呈しているため、図１に例示するように、複数の植栽容器本体１を縦横にタイル状に並べることで、全体として矩形をなす花壇を形成することができ、その矩形の縦横比も植栽容器本体１の数を調整することで変更することができる。
図１の例では、植栽容器本体１の側面を覆うサイドカバー５４（側壁カバーの一例）が、矩形の花壇の４辺のうちで、用水入口２Ａが位置する上流側の辺と、用水出口２Ｂが位置する下流側の辺とに設置されている。その結果、特に後述する植栽セクション４に植物が植えられた後では、全体として矩形をなすように並べた複数の植栽容器本体１と、上流側および下流側の辺に設置されたサイドカバー５４とが、互いに協働して、一つの植栽容器を構成しているような外観的効果を与える。
【００１９】
サイドカバー５４をこのように適用することで、特に、植栽容器本体１の用水出口２Ｂからオーバーフローして排出される植栽用水の流路や、用水入口２Ａ付近に位置する給水配管３１などの器具を、花壇の鑑賞者の目に触れ難くすることができる。しかし、矩形の花壇の４辺を全て取り囲むようにサイドカバー５４を設置することも可能である。
【００２０】
（植栽容器本体の構成）
植栽容器本体１を詳細に説明すると、図２に示すように、植栽容器本体１の上流側の側壁部Ｅを構成する第１側壁部Ｅ１の中央に、植栽容器本体１に植栽用水を受け入れるための用水入口２Ａが配置され、これと対峙する下流側の第２側壁部Ｅ２の中央に、植栽容器本体１から余分な植栽用水をオーバーフローさせて、排出するための用水出口２Ｂが配置されている。
【００２１】
２つの側壁部Ｅ１，Ｅ２の各中点どうしを結ぶ軸心Ｘが、植栽容器本体１の中央に残りの第３側壁部Ｅ３及び第４側壁部Ｅ４と平行に延びており、この軸心Ｘに沿って直線状の給排流路３が延設されている。用水入口２Ａおよび用水出口２Ｂはこの給排流路３の両端に位置し、用水出口２Ｂからはクチバシ状の樋口２Ｆが横向きに突設されている。
図２における給排流路３の右側と左側には、各々２つの概して正方形の植栽セクション４が給排流路３に沿って並置されており、合計で４つの植栽セクション４が一体的に集合することで、植栽容器本体１自体も全体として平面視で略正方形の外形を備えている。
【００２２】
植栽床材２０は植物を根の発育を許しながら支持する機能と、発育に必要な植栽用水を給水保持する機能とを有する多孔質の材料からなり、図１に示すように、ここでは、供給された植栽用水を吸水する下部床材２０Ａと、下部床材２０Ａの上に載置されて植物を支持する上部床材２０Ｂとで構成されている。上部床材２０Ｂには花卉などの苗を植え付けるための凹部２１が形成されている。ここで用いられる植栽床材２０（２０Ａ、２０Ｂ）は、ウレタンと粉砕された木屑などの混合物からなり、上部から下部までほぼ均一に水分と空気をバランスよく保持でき、且つ、根の生育に必要な空気が保たれ易い。
【００２３】
図２および図３に示すように、個々の植栽セクション４は植栽用水を貯留可能な一つの貯水容器５（貯水部の一例）を備えている。したがって、給排流路３は各貯水容器５の一側面に隣接配置された溝状給排流路となり、２つの貯水容器５が給排流路３を挟むように左右に隣接配置された状態となっている。貯水容器５は概して八角形の底面５ａ（底部の一例）の最外周部から斜め上方に擂り鉢状に延びた８個の内壁面５ｂ（側壁部の一例）を備えている。貯水容器５は、８個の内壁面５ｂの中で、４つの側壁部Ｅ１，Ｅ２，Ｅ３，Ｅ４のいずれかと略平行に延びた４個の内壁面５ｂのみの上端を介して側壁部Ｅ１，Ｅ２，Ｅ３，Ｅ４に連結されている。
貯水容器５の底面５ａの最外周部よりも所定長さだけ中央寄りには４つの低い板状突起６が上向きに立設されている。
【００２４】
板状突起６の内側の概して八角形の領域は下部床材２０Ａを設置するための床材収納部７を構成している。板状突起６の役割の一つは、下部床材２０Ａの下端部がこれらの板状突起６の内側に略嵌合状に固定されることで、下部床材２０Ａを底面５ａの中央の正しい位置に正しい姿勢で固定することである。
【００２５】
板状突起６の外側は、下部床材２０Ａの下端部の全周を取り囲む包囲給水路８を構成している。包囲給水路８は下部床材２０Ａが存在せず、植栽用水が基本的に自由に行き来し易い領域となっている。
尚、平面視において上部床材２０Ｂは下部床材２０Ａよりも大きな外径を備えており、下部床材２０Ａの上に上部床材２０Ｂを載置すると、上部床材２０Ｂの外周面は貯水容器５の８個の内壁面５ｂの内面にほぼフィットした状態で位置決めされる。
したがって、上部床材２０Ｂの下方には下部床材２０Ａを全周で取り囲むトンネル状の用水流路が形成される。
【００２６】
図４に示すように、給排流路３の流水方向に関する中間部には、給排流路３を上流側の第１流路３Ａと下流側の第２流路３Ｂとの２つに分断し、第１流路３Ａに植栽用水を所定の深さで貯留するための第２堰部材３Ｄが形成されている。
また、図２〜４に示すように、給排流路３と貯水容器５との間には両領域どうしを仕切る平板状の仕切り壁１０が備えられている。仕切り壁１０には、給排流路３の第１流路３Ａを上流側の植栽セクション４の包囲給水路８と連通させる第１開口部１０Ａと、給排流路３の第２流路３Ｂを下流側の植栽セクション４の包囲給水路８と連通させる第２開口部１０Ｂとが切り欠き状に形成されている。第２堰部材３Ｄは第１開口部１０Ａの下流側端部から第２開口部１０Ｂの上流側端部まで直線状に長く延設されている。
【００２７】
図２に示すように、給排流路３に沿って並置された上流側の貯水容器５と下流側の貯水容器５との間には植栽用水の行き来を可能にする連設開口部１１が形成されており、この連設開口部１１には植栽用水を所定の深さで貯留可能な第３堰部材１１Ｄが設けられている。
各包囲給水路８の一部には、用水入口２Ａから第１開口部１０Ａや第２開口部１０Ｂを経て進入する植栽用水の回転方向などを制御する第１堰部材８Ｄが設けられている。
【００２８】
上流側と下流側の各貯水容器５の包囲給水路８に設けられた２つの第１堰部材８Ｄは、第３堰部材１１Ｄを挟んで前後方向に同等に軸心Ｘと平行に延び、平面視において第３堰部材１１Ｄを中心とした対称状に配置されている。
図３に示すように、軸心Ｘよりも右側の植栽セクション４のみを取り上げると、上流側の貯水容器５に設けられた第１堰部材８Ｄは、図で左下に位置する板状突起６の下流側端部付近を、最も近接した内壁面５ｂに対して連結する形状で設けられている。下流側の貯水容器５に設けられた第１堰部材８Ｄは、図で左上に位置する板状突起６の上流側端部付近を、最も近接した上流側の内壁面５ｂに連結する形状で設けられている。
尚、第1堰部材８Ｄの位置は、植栽用水の回転を制御するものであればよく、特に限定されるものではない。例えば、第1堰部材８Ｄを図３に例示した位置よりも第１開口部１０Ａや第２開口部１０Ｂに近接した位置に配置してもかまわない。
【００２９】
各植栽セクション４の四隅の上端には概して三角形のフランジ１３が四隅のコーナーを埋めるように水平に延設されている。フランジ１３の下面は上部床材２０Ｂの上面の４つの短辺と係合することで、上部床材２０Ｂを正しい位置に保持する役目を果たす。
また、非常に多数の植栽容器本体１を前後左右に連結した場合などには、育成中の花卉のメンテナンスを行う目的で、作業者が少なくとも一部のフランジ１３の上を伝い歩くことが可能である。給排流路３は着脱自在な矩形の蓋（不図示）で閉じた状態で用いてもよい。
【００３０】
各フランジ１３には長円形の貫通孔１３Ｈが底面５ａの傾斜した短辺と平行に延設されている。また、フランジ１３は貯水容器５の内壁面５ｂの上端よりも更に高い位置に配置されており、フランジ１３と内壁面５ｂの間には貫通孔１３Ｈと平行に延びた間隙が形成されている。これらの間隙および貫通孔１３Ｈからは植栽容器本体１を載置した建物の床面などを透視することができる。
【００３１】
（連結方法）
図１には、植栽容器本体１どうしの連結を実現するための２種類の連結キャップ２４、２５が示されている。円形の連結キャップ２４は４つの植栽容器本体１を一体化するために用いられ、半円形の連結キャップ２５は２つの植栽容器本体１を一体化するために用いられる。これらの連結キャップ２４、２５の下端部などを係止するために、植栽容器本体１の４つの角部には扇型の係合孔または係合突起などが形成されている。
【００３２】
例えば、４つの植栽容器本体１を全体として正方形になるように並べると、その正方形の中心に４つの係合孔が全体として円形に並ぶので、この円に沿って円形の連結キャップ２４を外嵌状に係止させると、４つの植栽容器本体１が一体化される。また、前後または左右に並べられた２つの植栽容器本体１の間には２つの係合孔が全体として一つの半円を形成するように並ぶので、この半円に沿って半円形の連結キャップ２５を係止させると、２つの植栽容器本体１が一体化される。
【００３３】
図４に示すように、植栽容器本体１どうしを前後方向に、すなわち給排流路３が直列状になるように連結する際は、植栽用水の流れに関して上流側の植栽容器本体１の用水出口２Ｂに設けられた樋口２Ｆが、下流側の植栽容器本体１の用水入口２Ａに進入するように連結する。
また、植栽容器本体１を水平な面に載置したときの各堰部材と板状突起６と樋口２Ｆの間の高さの関係は、「第２堰部材３Ｄ＞樋口２Ｆ＞第３堰部材１１Ｄ＝用水入口２Ａ＞板状突起６＞第１堰部材８Ｄ」となるように設定されている。
【００３４】
図１に示すように、給水設備３０は、最も上流側に配置された植栽容器本体１の用水入口２Ａに植栽用水を供給するための給水配管３１と、上水道と給水配管３１との間に介装された電磁弁３２と、最も下流側に位置する上部床材２０Ｂに挿入された水分センサＳと、水分センサＳの検出結果に基づいて電磁弁３２をＯＮ／ＯＦＦ切り換えする制御装置３３とで構成することができる。
【００３５】
各側壁部Ｅ１，Ｅ２，Ｅ３，Ｅ４は、植栽容器本体１の最下部から上向きに直線状に延びた主外周面ｆａと、主外周面ｆａの上端から内側に延びた肩部ｆｂと、肩部ｆｂから上向きに直線状に延びた副外周面ｆｃと、この副外周面ｆｃの上端から下方に向かって延びた前述の内壁面５ｂとを有する。副外周面ｆｃは主外周面ｆａよりも僅かに内側に位置している。
【００３６】
すなわち、植栽容器本体１どうしの前後方向（給排流路３どうしが直列状になる）での連結では、各植栽容器本体１の第１側壁部Ｅ１と第２側壁部Ｅ２の主外周面ｆａどうしが互いに接当または隣接される。他方、植栽容器本体１どうしの左右方向（給排流路３どうしが並列状になる）での連結は、各植栽容器本体１の第３側壁部Ｅ３と第４側壁部Ｅ４の主外周面ｆａどうしが互いに接当または隣接される。
【００３７】
したがって、２つの植栽容器本体１を連結した場合は、各側壁部Ｅ１，Ｅ２または各側壁部Ｅ３，Ｅ４を挟んで隣接される貯水容器５どうしは少なくとも肩部ｆｂの幅×２の間隔を空けて配置されることになる。
この肩部ｆｂの幅×２の間隔は、植栽容器本体１の中で前後左右に並ぶ貯水容器５どうしを隔てている給排流路３などの幅と略同等に設定されているので、植栽容器本体１どうしを前後左右に連結して用いた場合、各植栽セクション４に配置された上部床材２０Ｂどうしは、前後方向と左右方向の区別なく、肩部ｆｂの幅×２に近似する略一定の間隔を空けて並べられることになる。
【００３８】
（植栽容器本体の作用）
図３に示すように、給水設備３０によって、最も上流側に配置された植栽容器本体１の用水入口２Ａへの植栽用水の供給を開始すると、先ず、植栽用水は給排流路３の第１流路３Ａに入って第２堰部材３Ｄに衝突して左右に別れ、左右の第１開口部１０Ａを経て、左右の上流側の植栽セクション４の包囲給水路８（貯水容器５）に進入する。
【００３９】
包囲給水路８に進入した植栽用水は、設置面の傾斜度に応じて上流側と下流側のいずれか又は双方に流れるが、下流側に流れた植栽用水が包囲給水路８に配置された第１堰部材８Ｄに達して以降は、上流側への流れが主体的となって、下部床材２０Ａおよび各板状突起６の外周を包囲給水路８に沿って時計方向に流れ、第１堰部材８Ｄの手前まで達することで、下部床材２０Ａの全周が迅速に植栽用水によって包囲される。このように、板状突起６は植栽用水を一定の回転方向に案内するガイド部材の役割をも果たす。
【００４０】
下部床材２０Ａはこの植栽用水を直ぐに給水し始めるが、植栽用水が下部床材２０Ａの給水速度を超える速度で供給されている状態では、第３堰部材１１Ｄをオーバーフローして連設開口部１１から下流側の植栽セクション４に移動する。
【００４１】
尚、この実施形態では、単一の植栽容器本体１に４つの貯水容器５（貯水部）が設けられているが、軸心Ｘと平行に並設された左右の各２つの貯水容器５（貯水部）は連設開口部１１によって接続された一つの貯水容器５（貯水部）と見ることができる。したがって、植栽用水を外部から貯水容器５（貯水部）に供給し、貯水容器５（貯水部）の植栽用水を外部に排出する給排流路３が、包囲給水路８と連通状に設けられた構成といえる。
【００４２】
下流側の植栽セクション４の包囲給水路８に進入した植栽用水は、ここに配置された第１堰部材８Ｄの作用で、下部床材２０Ａおよび各板状突起６の外周を包囲給水路８に沿って時計方向に流れ、第１堰部材８Ｄの手前まで達することで、下部床材２０Ａの全周が迅速に植栽用水によって包囲される。
【００４３】
下部床材２０Ａを包囲した植栽用水の一部は第２流路３Ｂに進入する。下部床材２０Ａはこの植栽用水を直ぐに吸水し始めるが、上流側の植栽セクション４から植栽用水が下部床材２０Ａの給水速度を超える速度で供給されている状態では、用水出口２Ｂの樋口２Ｆからオーバーフローして下流側の植栽容器本体１の用水入口２Ａに流れ込む。
【００４４】
このような植栽用水の挙動が給排流路３を挟んで左右の各植栽セクション４で略対称的に行われる。
尚、最も下流側に配置された植栽容器本体１の樋口２Ｆから余分な植栽用水が排出されないように制御装置３３を設定することができる。但し、必要に応じて、最も下流側に配置された植栽容器本体１の用水出口２Ｂを専用の栓部材によって塞いでもよい。
【００４５】
（サイドカバー）
図４〜図６に示すように、サイドカバー５４は、植栽容器本体１の側壁部Ｅに取り付けられる固定部４２と、植栽容器本体１の用水出口２Ｂからオーバーフローする植栽用水を受ける樋部４０とを備えている。サイドカバー５４を植栽容器本体１の側壁部Ｅに取り付けた状態では、固定部４２と樋部４０は側壁部Ｅの外周に沿って延設された状態となる。固定部４２と樋部４０とは、樋部４０の開口部４０Ａと上方から対向するカバー部４３によって接続されている。
【００４６】
カバー部４３の内側には、樋部４０の他に、植栽容器本体１の貯水部５に植栽用水を供給するための給水配管３１を支持する支持部４９が設けられている。
サイドカバー５４を植栽容器本体１の下流側の第２側壁部Ｅ２に取り付けた場合には、樋部４０が活用される。他方、サイドカバー５４を植栽容器本体１の上流側の第１側壁部Ｅ１に取り付けた場合には、給水配管３１を支持する支持部４９が活用される。
【００４７】
カバー部４３は、固定部４２から植栽容器本体１に対して外向きに横に延びる天井部４３Ａと、天井部４３Ａの先端から下方に延びる縦壁部４３Ｂとを備え、全体として概して逆Ｌ字状の断面を備えている。カバー部４３と植栽容器本体１の側壁部Ｅと床面とで囲まれる概して矩形の空間の内側は、便宜的に、樋部４４を備えた下方の排水用空間Ｓ１と、支持部４９を備えた上方の給水用空間Ｓ２とに区画されている。排水用空間Ｓ１と給水用空間Ｓ２は、互いに上下に隣接して設けられており、且つ、サイドカバー５４の全長に亘って樋部４４の開口部４０Ａを介して互いに連通している。
【００４８】
樋部４０は、上方に開口した半円形の断面を備えた流通部４０Ｂと、流通部４０Ｂの外側の上端から更に一体的に延出されたオーバーハング部４０Ｃとを備える。オーバーハング部４０Ｃは、鉛直方向よりも植栽容器本体１側に向かって斜め内向きに延びているので、用水出口２Ｂの樋口２Ｆから流れ出る植栽用水の勢いが強い場合でも、植栽用水が植栽容器本体１側に跳ね返されることなく、比較的静かに流通部４０Ｂに収納される。支持部４９はオーバーハング部４０Ｃの上端から斜め上方外向きに延設されている。
【００４９】
支持部４９の上端付近は、概して水平に延びた板状の第１横リブ５８ａによって、縦壁部４３Ｂの内面と一体的に連結されている。また、樋部４０の下端付近も、概して水平に延びた板状の第２横リブ５８ｂによって、縦壁部４３Ｂの下端と一体的に連結されている。第２横リブ５８ｂの一部からは脚部５８ｃが下方に延設されている。
脚部５８ｃの下端の接地部は樋部４０の下端よりも下方に位置するので、樋部４０は床面と接触することはない。また、オーバーハング部４０Ｃと支持部４９と第１横リブ５８ａと縦壁部４３Ｂの下半分と第２横リブ５８ｂとは、互いに協働して閉鎖空間Ｖ１を形成している。
【００５０】
サイドカバー５４の固定部４２をネジ（不図示）などで植栽容器本体１の側壁部Ｅ１（Ｅ２）に取り付ける際には、固定部４２の背面が側壁部Ｅ１（Ｅ２）の副外周面ｆｃと略間隙なく対向し、固定部４２の上端から内側に突出した係止片６４Ａが、側壁部Ｅ１（Ｅ２）の上端に係止され、且つ、固定部４２の下端４２Ｂが側壁部Ｅ１（Ｅ２）の肩部ｆｂに載置される形態で取り付けられる。
【００５１】
図４及び図５から理解されるように、サイドカバー５４を植栽容器本体１の下流側の側壁部Ｅ２に設置すると、植栽容器本体１における用水出口２Ｂの樋口２Ｆが、樋部４０の受入口４０Ａと平面視で部分的に重なり合うように、言い換えれば、樋部４０の先端が受入口４０Ａに入り込むように形成してある。
【００５２】
他方、図４及び図６に示すように、サイドカバー５４を植栽容器本体１の上流側の側壁部Ｅ１に設置すると、植栽容器本体１の側壁部Ｅ１に沿って配置された給水配管３１が、サイドカバー５４の内面の支持部４９に支持される。より具体的には、用水入口２Ａへの給水ノズル４５を備えた分岐給水バルブ４６が、断面が概して矩形の分岐用ジョイント４７を介して、給水配管３１の適切な位置に取り付けられており、給水配管３１はこの分岐用ジョイント４７を介して支持部４９に支持される。
【００５３】
分岐用ジョイント４７が支持部４９の正しい位置に支持されると、給水配管３１の全体が給水用空間Ｓ２の内部に収納され、給水ノズル４５を備えた分岐給水バルブ４６のみが植栽容器本体１側に突出して、給水ノズル４５が植栽容器本体１の用水入口２Ａの上方の適切な位置に配置される。
【００５４】
サイドカバー５４の標準的な長さは一つの植栽容器本体１の幅よりも数倍長く設定されているため、１つのサイドカバー５４を複数の植栽容器本体１の側壁部Ｅに沿って連続的に設置することができる。しかし、図７〜図９に示すように、複数のサイドカバー５４どうしを連結ジョイント５５によって長手方向で連結することも可能である。
【００５５】
連結ジョイント５５は、サイドカバー５４のカバー部４３と略同じ形状のカバー部５５Ｃを備えているため、外観的には２つのサイドカバー５４の間に連結ジョイント５５が挟まれた状態で連結が行われる。カバー部５５Ｃの内側の上方には給水配管３１を受け入れる空間が形成されており、内側下部からは筒状嵌合部５９が左右に突出形成されている。
【００５６】
筒状嵌合部５９の外径は、樋部４０の内周面と略同じ円周率を有する。したがって、２つのサイドカバー５４は、それらの樋部４０が連結ジョイント５５の筒状嵌合部５９に外嵌される要領で、互いに連結される。一方のサイドカバー５４の樋部４０で受けられた植栽用水は、連結ジョイント５５の筒状嵌合部５９を介して、他方のサイドカバー５４の樋部４０に排水される。
本発明によるサイドカバー５４や連結ジョイント５５は、植栽容器本体１と同様に基本的に合成樹脂の一体成形によって作られており、サイドカバー５４のカバー部４３と連結ジョイント５５のカバー部５５Ｃとを、接着剤によって固定することができる。
【００５７】
図７と図８には、植栽容器本体１の用水出口２Ｂからサイドカバー５４の樋部４０に排出された植栽用水をサイドカバー５４の外に排出させる具体的な方法が例示されている。
図７の例では、サイドカバー５４の両端をエンドカバー５６によって閉塞し、一方のエンドカバー５６には予め貫通孔が設けてある。この貫通孔に挿通した排水パイプ５２を樋部４０の流出部４１に内嵌させることで、樋部４０に排出された植栽用水をサイドカバー５４の外に排出させる。他方のエンドカバー５６には貫通孔が設けられておらず、樋部４０で受けた植栽用水の漏れが防止されている。
【００５８】
図８の例では、サイドカバー５４の両端を貫通孔のないエンドカバー５６によって閉塞し、代わりに、サイドカバー５４の縦壁部４３Ｂの一部に排水用の貫通口５１を形成している。ここでは、樋部４０の流出部４１に内嵌させた短い中継用の排水パイプ５２にエルボ状パイプ５３の一端を接続し、エルボ状パイプ５３の他端を排水用の貫通口５１からサイドカバー５４の外に延出させ、この他端から別の排水パイプ５２で植栽用水をサイドカバー５４の外に排出させている。
【００５９】
上述した排水用の貫通口５１は、サイドカバー５４の縦壁部４３Ｂの所望の位置に回転刃付きグラインダーを押し当てながら穴加工することで形成できる。この穴加工に際して、回転刃付きグラインダーを押し当てるべき位置の案内手段として、縦壁部４３Ｂの上下中間部位には、第１閉鎖空間Ｖ１に向かって窪んだ溝５０が、サイドカバー５４の長手方向に沿って形成してある。
【００６０】
図９には、サイドカバー５４の内面に支持された給水配管３１から、植栽容器本体１の用水出口２Ａに植栽用水を供給する具体的な方法が例示されている。ここでは、サイドカバー５４の両端をエンドカバー５６によって閉塞し、一方のエンドカバー５６の上方には予め貫通孔が設けてある。この貫通孔に挿通した給水配管３１は、サイドカバー５４の内部では支持部４９によって支持される。他方のエンドカバー５６には貫通孔が設けられておらず、また、給水配管３１の先端はエンドキャップ５７によって閉鎖されている。
【００６１】
〔別実施形態〕
〈１〉図１０及び図１１に示す別実施形態では、支持部４９の上端が、同上端から斜め内側に延出した縦リブ５８ｄによって上方の天井部４３Ａの下面と一体的に連結されている。この縦リブ５８ｄは、支持部４９によって支持された給水配管３１の背面と概して面接触可能な角度で形成されている。
樋部４０の流通部４０Ａの外側部位とオーバーハング部４０Ｃと支持部４９と縦リブ５８ｄとは、互いに協働して、縦壁部４３Ｂの内面との間に閉鎖空間を形成している。
この閉鎖空間は、前述した第１横リブ５８ａによって、下方の第１閉鎖空間Ｖ１と、上方の第２閉鎖空間Ｖ２とに分割されている。
この形態では、給水配管３１を支持する支持部４９は、第２横リブ５８ｂによって支持された樋部４０によって下方から支持され、同時に、縦リブ５８ｄによって上方から支持されている。
【００６２】
〈２〉必ずしも４つの植栽セクション４が連結された植栽容器本体１の形態で実施する必要はなく、単一の植栽セクション４の貯水容器５が給排流路３の一側面に隣接配置された形態の植栽容器本体１に対してサイドカバー５４を適用してもよい。
【００６３】
〈３〉サイドカバー５４には、樋部４０を設けてあるだけで、給水配管３１の配管スペース４８を設けてないものでもよい。
【００６４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００６５】
１      植栽容器本体（植栽容器の一部）
２Ａ    用水入口（貯水容器）
２Ｂ    用水出口（貯水容器）
５      貯水部（貯水容器）
５ａ    底面（底部）
５ｂ    壁面（側壁部）
３１    給水配管
４０    樋部
４０Ａ  受入口（開口部）
４０Ｃ  オーバーハング部
４２    固定部
４３    カバー部
４３Ａ  天井部
４３Ｂ  縦壁部
４９    支持部
５４    サイドカバー（植栽容器の一部、側壁カバー）
Ｅ      側壁部
Ｓ１    排水用空間
Ｓ２    給水用空間
【図１】
2011145658.tif 000003
【図２】
2011145658.tif 000004
【図３】
2011145658.tif 000005
【図４】
2011145658.tif 000006
【図５】
2011145658.tif 000007
【図６】
2011145658.tif 000008
【図７】
2011145658.tif 000009
【図８】
2011145658.tif 000010
【図９】
2011145658.tif 000011
【図１０】
2011145658.tif 000012
【図１１】
2011145658.tif 000013
【国際調査報告】
2011145658.tif 000014
2011145658.tif 000015